(57)【特許請求の範囲】
【請求項１】
内側にレールを備えた矩形のサッシュ枠と、前記レールに沿って引き違い式にスライドして前記サッシュ枠の内側空間を開閉するように矩形に形成された一対のサッシュ本体とを備え、
前記一対のサッシュ本体のそれぞれが、その四隅にコーナブロックを備えているサッシュ構造であって、
前記サッシュ枠の下枠体に上方に面した上向き傾斜面と室外側の横側方に面した横向き傾斜面とを備えた傾斜部材が設けられ、前記両傾斜面に摺接可能なシール部材が、弾性変形可能な複数のヒレで構成されて、各サッシュ本体の下コーナブロックのうち、前記一対のサッシュ本体により前記サッシュ枠の内側空間を閉じた閉じ姿勢において、互いに引き違い状に対向する側の下コーナブロックに設けられ、
前記閉じ姿勢において、前記シール部材の下部が、その下方に位置する前記傾斜部材の上向き傾斜面に摺接し、前記シール部材の室内側へ突出する中間部が、その側方に位置する前記傾斜部材の横向き傾斜面に摺接して、前記下コーナブロックと前記サッシュ枠の下枠体との隙間からの風の侵入を抑制するように構成されているサッシュ構造。
【請求項２】
前記傾斜部材が、その横断面視において、前記上向き傾斜面と横向き傾斜面を左側と右側に一体的に備えた山形に形成されていて、
前記引き違い状に対向する下コーナブロックの一方に設けられたシール部材と他方に設けられたシール部材とが、山形に形成された傾斜部材の左側と右側のいずれか一方の前記上向き傾斜面と横向き傾斜面に摺接するように構成されている請求項１に記載のサッシュ構造。
【請求項３】
前記下コーナブロックが、前記サッシュ枠の下枠体に設けられたレールが挿入するレール溝を備え、
そのレールに摺接して前記レール溝と前記レールとの隙間からの風の侵入を抑制する補助シール部材が、前記シール部材と一体的に形成されて前記レール溝に設けられている請求項１または２に記載のサッシュ構造。
【発明の詳細な説明】
【０００１】
【発明の属する技術分野】
本発明は、内側にレールを備えた矩形のサッシュ枠と、前記レールに沿って引き違い式にスライドして前記サッシュ枠の内側空間を開閉するように矩形に形成された一対のサッシュ本体とを備え、前記一対のサッシュ本体のそれぞれが、その四隅にコーナブロックを備えているサッシュ構造に関する。
【０００２】
【従来の技術】
このような構成のサッシュ構造では、引き違い式にスライドする一対のサッシュ本体のそれぞれが、上下の框部材と左右の横框部材とで構成され、それら框部材がコーナブロックを介して互いに連結されて矩形に形成されているので、サッシュ本体の四隅には、必然的にコーナブロックが存在することになる。
【０００３】
この四隅にコーナブロックを備えた一対のサッシュ本体によりサッシュ枠の内側空間を閉じた閉じ姿勢において、各サッシュ本体とサッシュ枠との隙間から風が侵入するのを抑制するため、従来、サッシュ本体を構成する上下の框部材や横框部材にシール部材を取付けて、前記閉じ姿勢において、各シール部材がサッシュ枠に接当あるいは摺接するように構成したものが知られている。
【０００４】
しかしながら、サッシュ本体の四隅に位置するコーナブロックについては、そのコーナブロックが、サッシュ本体を構成する各框部材と別体で、しかも、サッシュ枠に対してサッシュ本体を嵌め込む際に、組付け誤差などに対応するべく、各コーナブロックに対する框部材の取付け位置を修正する機能を備えており、かつ、コーナブロックにおける各框部材の長手方向に沿う長さが、各框部材の長さに比べてかなり短いなどの理由で、従来、各コーナブロックとサッシュ枠との隙間については、特別な考慮が払われていなかったのが実状である。
【０００５】
【発明が解決しようとする課題】
したがって、上述した従来のサッシュ構造では、一対のサッシュ本体によりサッシュ枠の内側空間を閉じた閉じ姿勢において、各サッシュ本体の四隅に位置するコーナブロックとサッシュ枠との間の隙間から室内側へ風が侵入する虞があり、この点に改良の余地があった。
【０００６】
本発明は、このような従来の問題点に着目したもので、その目的は、引き違い式にスライドする一対のサッシュ本体によりサッシュ枠の内側空間を閉じた閉じ姿勢において、各サッシュ本体のコーナブロックとサッシュ枠との間からの風の侵入を抑制することができ、しかも、使用に伴う損傷を極力抑制して、長年月にわたって使用することが可能なサッシュ構造の提供にある。
【０００７】
【課題を解決するための手段】
〔構成〕
請求項１の発明の特徴構成は、図１、図２、図９、図１６、図１７に例示するごとく、内側にレール７，８，９，１０を備えた矩形のサッシュ枠１と、前記レール７，８，９，１０に沿って引き違い式にスライドして前記サッシュ枠１の内側空間を開閉するように矩形に形成された一対のサッシュ本体２，３とを備え、前記一対のサッシュ本体２，３のそれぞれが、その四隅にコーナブロック２１，２２，４１，４２を備えているサッシュ構造であって、前記サッシュ枠１の下枠体４に上方に面した上向き傾斜面３１ａと室外側の横側方に面した横向き傾斜面３１ａとを備えた傾斜部材３１が設けられ、前記両傾斜面３１ａに摺接可能なシール部材３０，５０が、弾性変形可能な複数のヒレで構成されて、各サッシュ本体２，３の下コーナブロック２１，４１のうち、前記一対のサッシュ本体２，３により前記サッシュ枠１の内側空間を閉じた閉じ姿勢において、互いに引き違い状に対向する側の下コーナブロック２１，４１に設けられ、前記閉じ姿勢において、前記シール部材３０，５０の下部３０ａ，５０ａが、その下方に位置する前記傾斜部材３１の上向き傾斜面３１ａに摺接し、前記シール部材３０，５０の室内側へ突出する中間部３０ｃ，５０ｃが、その側方に位置する前記傾斜部材３１の横向き傾斜面３１ａに摺接して、前記下コーナブロック２１，４１と前記サッシュ枠１の下枠体４との隙間からの風の侵入を抑制するように構成されているところにある。
【０００９】
請求項２の発明の特徴構成は、図９および図１７に例示するごとく、前記傾斜部材３１が、その横断面視において、前記上向き傾斜面３１ａ，３１ｂと横向き傾斜面３１ａ，３１ｂを左側と右側に一体的に備えた山形に形成されていて、前記引き違い状に対向する下コーナブロック２１，４１の一方に設けられたシール部材３０と他方に設けられたシール部材５０とが、山形に形成された傾斜部材３１の左側と右側のいずれか一方の前記上向き傾斜面３１ａと横向き傾斜面３１ａに摺接するように構成されているところにある。
【００１０】
請求項３の発明の特徴構成は、図９に例示するごとく、前記下コーナブロック２１，４１が、前記サッシュ枠１の下枠体４に設けられたレール７，８が挿入するレール溝２３ａ，４３ａを備え、そのレール７，８に摺接して前記レール溝２３ａ，４３ａと前記レール７，８との隙間からの風の侵入を抑制する補助シール部材３０ｂ，５０ｂが、前記シール部材３０，５０と一体的に形成されて前記レール溝２３ａ，４３ａに設けられているところにある。
【００１１】
なお、上述のように、図面との対照を便利にするために符号を記したが、該記入により本発明は添付図面の構成に限定されるものではない。
【００１２】
〔作用及び効果〕
請求項１の発明の特徴構成によれば、引き違い式にスライドする一対のサッシュ本体のコーナブロックとサッシュ枠のうち、サッシュ枠の下枠体に上方に面した上向き傾斜面と室外側の横側方に面した横向き傾斜面とを備えた傾斜部材が設けられ、その両傾斜面に摺接可能なシール部材が、各サッシュ本体の下コーナブロックのうち、一対のサッシュ本体によりサッシュ枠の内側空間を閉じた閉じ姿勢において、互いに引き違い状に対向する側の下コーナブロックに設けられ、前記閉じ姿勢において、前記シール部材の下部が、その下方に位置する傾斜部材の上向き傾斜面に摺接し、前記シール部材の室内側へ突出する中間部が、その側方に位置する傾斜部材の横向き傾斜面に摺接して、下コーナブロックとサッシュ枠の下枠体との隙間からの風の侵入を抑制するように構成されているので、サッシュ本体によりサッシュ枠の内側空間を閉じた状態では、各サッシュ本体の下コーナブロックとサッシュ枠の下枠体との間から風が侵入するのを確実に抑制することができるとともに、その隙間風の侵入抑制を長年月にわたって維持することができる。
【００１３】
すなわち、下コーナブロックとサッシュ枠の下枠体との間からの風の侵入を抑制するには、例えば、サッシュ本体側へ突出するシール部材をサッシュ枠に設け、前記閉じ姿勢において、そのシール部材がサッシュ本体の下コーナブロックに摺接するように構成することもできる。
しかし、その場合には、サッシュ本体をスライドさせる際、前記シール部材が、常にサッシュ本体や下コーナブロックに摺接するため、シール部材の損傷が激しくなって、長年月にわたって隙間風の抑制効果を期待するのはむずかしい。
【００１４】
その点、傾斜面を備えた傾斜部材と、その傾斜面に摺接可能なシール部材とで構成し、前記閉じ姿勢において、シール部材が傾斜部材の傾斜面に摺接するように構成することで、傾斜面に対するシール部材の摺接は、前記閉じ姿勢の近傍のみとなり、シール部材の常時摺接が回避されるので、上述した構成に比べてシール部材の損傷が抑制され、比較的長年月にわたる隙間風の抑制効果を期待することができる。
【００１５】
また、請求項１の発明の特徴構成によれば、前記シール部材が、弾性変形可能な複数のヒレで構成されているので、その複数のヒレからなるシール部材を傾斜部材の傾斜面に対して弾性的に押し付けてシールすることができるので、上述した隙間風の抑制がより一層確実となる。
そして、その複数のヒレからなるシール部材が、サッシュ本体の下方に位置する下コーナブロックに設けられて、サッシュ枠の下枠体に設けられた傾斜部材の傾斜面に摺接するように構成されているので、例えば、サッシュ枠の下枠体側に複数のヒレからなるシール部材を設けると、その複数のヒレの間に塵埃や雨水などが溜まる虞があるが、そのような虞も少なく、仮に塵埃が溜まったとしても、傾斜部材側であるため、清掃も容易に行うことができる。
【００１６】
請求項２の発明の特徴構成によれば、前記傾斜部材が、その横断面視において、上向き傾斜面と横向き傾斜面を左側と右側に一体的に備えた山形に形成されていて、引き違い状に対向する下コーナブロックの一方に設けられたシール部材と他方に設けられたシール部材とが、山形に形成された傾斜部材の左側と右側のいずれか一方の上向き傾斜面と横向き傾斜面に摺接するように構成されているので、引き違い式にスライドする両サッシュ本体において、その引き違い状に対向する側の下コーナブロックとサッシュ枠との間から風が侵入するのを確実に抑制することができる。
すなわち、引き違い状に対向する両下コーナブロックに設けられたシール部材が、左側と右側のうち、共に同一側の上向き傾斜面と横向き傾斜面に摺接するので、両シール部材をほぼ直線状にして同一側の上向きと横向き傾斜面に摺接させることもでき、その場合には、両シール部材の協働によって、両下コーナブロックとサッシュ枠との間からの風の侵入をより効果的に、確実に抑制することができる。
【００１７】
請求項３の発明の特徴構成によれば、前記下コーナブロックが、サッシュ枠の下枠体に設けられたレールが挿入するレール溝を備え、そのレールに摺接してレール溝とレールとの隙間からの風の侵入を抑制する補助シール部材が、前記レール溝に設けられているので、上述した傾斜部材とシール部材による隙間風の侵入抑制に加えて、レール溝とレールとの間からの隙間風の侵入をも抑制して、一層確実な隙間風の抑制効果を期待することができ、しかも、その補助シール部材が、傾斜部材の傾斜面に摺接するシール部材と一体的に形成されているので、使用するシール部材の数を極力少なくし、かつ、構造的にも簡素化して、確実な隙間風の抑制効果を期待することができる。
【００１８】
【発明の実施の形態】
本発明によるサッシュ構造の実施の形態を図面に基づいて説明する。
なお、本明細書においては、特に断わりがない限り、建屋の室内方向を室内側、建屋の室外方向を室外側と称し、建屋の室内側から見て右方向を右側、左方向を左側と称する。
このサッシュ構造は、例えば、図１および図２に示すように、建屋における引き違い式の窓や引き違い戸などに使用されるもので、全体が矩形に構成されたアルミ製のサッシュ枠１が、建屋の壁などに固定され、一対の板ガラスからなる真空ガラスや複層ガラス、あるいは、単板の板ガラスＧなどを保持する一対のサッシュ本体２，３、つまり、室内側に位置する内サッシュ本体２と室外側に位置する外サッシュ本体３とが、サッシュ枠１の内側にスライド自在に嵌め込まれている。
【００１９】
前記サッシュ枠１は、下枠体４と上枠体５、ならびに、上下の枠体４，５を連結する左右一対の横枠体６により矩形に組付けられて構成され、その下枠体４は、室内側ほど高く、室外側ほど低くなるように階段状に構成され、その下枠体４には、一対の下側レール７，８が内外方向に間隔を置いて、かつ、室内側に位置する下側内レール７の方が、室外側に位置する下側外レール８よりも高くなるように設けられ、上枠体５には、その一対の下側レール７，８に対向するように上側内レール９と上側外レール１０とが設けられている。
一対のサッシュ本体２，３は、内サッシュ本体２を右側に、外サッシュ本体３を左側にスライドさせた状態で、サッシュ枠１の内側空間を閉じる閉じ姿勢になるように構成され、図３に示すように、下側内レール７の右端に排水用切欠き部１１が、図４に示すように、下側外レール８の左端にも排水用切欠き部１２が、それぞれ下側レール７，８に沿って設けられ、更に、下側外レール８には複数の排水孔１３も設けられている。
【００２０】
すなわち、下側内レール７の右端が切欠かれて、図１０および図１１にも示すように、その上面が下側内レール７の上端よりも下方に位置する合成樹脂製の保持部材１４が設けられ、その保持部材１４の上面の上方が、排水用切欠き部１１に構成されて、保持部材１４には、軟質の合成樹脂で形成された横ヒレ状の第一内側ヒレ１５が、排水用切欠き部１１の下方において排水用切欠き部１１に沿って突出する状態に取付けられている。
この第一内側ヒレ１５は、下側内レール７より室内側へ侵入した雨水などを排水用切欠き部１１から室外側へ排水するのを許容するとともに、前記閉じ姿勢において、室内への風の侵入を抑制する枠側シール部材として機能するもので、上下方向に２枚設けられ、室外側ほど下方に位置する傾斜姿勢で外側に突出するように取付けられている。
同様に、下側外レール８の左端も切欠かれ、図１２および図１３にも示すように、その上面が下側外レール８の上端よりも下方に位置する合成樹脂製の保持部材１６が設けられて、その上面の上方が排水用切欠き部１２に構成され、その保持部材１６にも、上述した第一内側ヒレ１５と同様な横ヒレからなる第一外側ヒレ１７が、室外側ほど下方に位置する傾斜姿勢で突出するように取付けられている。
【００２１】
前記内サッシュ本体２は、図６の（ロ）に示すように、アルミ製の下框部材１８と上框部材１９、ならびに、左右一対の横框部材２０とを備え、それらアルミ製の框部材１８，１９，２０が、四隅に位置する合成樹脂製のコーナブロック、つまり、内サッシュ本体２の下側に位置する左右一対の下コーナブロック２１と上側に位置する左右一対の上コーナブロック２２とを介して互いに連結されて、全体が矩形になるように組付けられている。
その内サッシュ本体２の下框部材１８と下コーナブロック２１には、その長手方向に沿う凹入部、つまり、下コーナブロック２１に設けられたレール溝としての凹入部２３ａ（図９および図１０参照）と下框部材１８に設けられた凹入部２３ｂ（図２参照）とが互いに連続するように設けられ、その下框部材１８の凹入部２３ｂ内に下側内レール７上を転動する複数個の内ローラ２４が設けられ、かつ、上框部材１９と上コーナブロック２２には、その長手方向に沿うスリット２５が設けられて、そのスリット２５内に上側内レール９が挿入可能に構成されている。
【００２２】
左右一対の下コーナブロックのうち、右側に位置する下コーナブロック２１には、軟質の合成樹脂で形成されたシール部材としての第二内側ヒレ２６と第三内側ヒレ２７とが取付けられている。
第二内側ヒレ２６は、図１０および図１１に示すように、縦ヒレ状に構成されて、下コーナブロック２１の右端近くに位置する状態で、かつ、右側の横框部材２０の長手方向に沿って取付けられた軟質の合成樹脂からなる横框用内側ヒレ２８（図１４参照）と連続するように上下方向に沿って左右に２枚取付けられている。
そして、この縦ヒレ状の第二内側ヒレ２６は、内サッシュ本体２を右側にスライドさせた状態で前記第一内側ヒレ１５に摺接して、内サッシュ本体２と右側の横枠体６との間の下方隙間から、排水用切欠き部１１を介して侵入しようとする風の侵入を抑制するように構成されている。
【００２３】
第三内側ヒレ２７は、下コーナブロック２１の左端近くに位置する状態で、下コーナブロック２１の凹入部２３ａに沿って内側に突出するように取付けられ、内サッシュ本体２をスライドさせる際、下側内レール７の室内外側の両側面と上面とに摺接して、内サッシュ本体２の凹入部２３ａと下側内レール７との間の隙間から、排水用切欠き部１１を介して侵入しようとする風の侵入を抑制するように構成されている。
そして、その右側の下コーナブロック２１と左側の下コーナブロック２１との間に位置する下框部材１８には、下側内レール７の室外側の側面に摺接する軟質の合成樹脂からなる下框用内側ヒレ２９（図２参照）が、下框部材１８の長手方向に沿って取付けられている。
【００２４】
左右一対の下コーナブロックのうち、左側に位置する下コーナブロック２１には、軟質の合成樹脂で形成されたシール部材としての第四内側ヒレ３０が、図９に示すように、上下方向に沿って左右に２枚取付けられ、その第四内側ヒレ３０の下部３０ａが下コーナブロック２１よりも下方に突出し、その上部３０ｂが下コーナブロック２１の凹入部２３ａに沿って内側に突出するとともに、室内側の中間部３０ｃが室内側へ、室外側の中間部３０ｄが室外側へ突出するように構成されている。
この第四内側ヒレ３０は、内サッシュ本体２をスライドさせる際、その上部３０ｂが下側内レール７の室内外側の両側面と上面とに摺接し、内サッシュ本体２を右側にスライドさせた状態で、室外側の中間部３０ｄが外サッシュ本体２に摺接するように構成されている。
【００２５】
更に、サッシュ枠１の下枠体４のうち、一対の下側レール７，８の間には、図５に示すように、塩化ビニル樹脂から形成された傾斜部材としての山形部材３１、つまり、上方に面した上向き傾斜面３１ａ，３１ｂと室外側の横側方に面した横向き傾斜面３１ａ，３１ｂを備えた山形部材３１が、階段状の下枠体４に沿って折曲された状態で一連に取付けられていて、内サッシュ本体２を右側にスライドさせた状態で、図１６および図１７に示すように、第四内側ヒレ３０の室内側の中間部３０ｃが、下側内レール７の室外側の側面に位置する山形部材３１の左側の横向き傾斜面３１ａに摺接するように構成され、かつ、第四内側ヒレ３０の下部３０ａが、山形部材３１の左側の上向き傾斜面３１ａに上方から摺接するように構成されて、左側の下コーナブロック２１の凹入部２３ａと下側内レール７との間の隙間から侵入しようとする風の侵入を抑制するように構成されている。
【００２６】
左右一対の上コーナブロック２２には、図７の（ロ）に示すように、それぞれ軟質の合成樹脂で形成されたブロック側シール部材としての第五内側ヒレ３２が、上コーナブロック２２のスリット２５に沿ってスリット２５の内側に突出するように取付けられ、かつ、左側の上コーナブロック２２には、図８に示すように、軟質の合成樹脂で形成されたブロック側シール部材としての第六内側ヒレ３４が、上コーナブロック２２のスリット２５に沿って内側に突出するように取付けられ、内サッシュ本体２をスライドさせる際、第五内側ヒレ３２が、上側内レール９の室内外側両面に摺接するとともに、第六内側ヒレ３４が、上側内レール９の室内外側の両側面と下面とに摺接して、上コーナブロック２２のスリット２５と上側内レール９との間の隙間から侵入しようとする風の侵入を抑制するように構成されている。
そして、その両上コーナブロック２２の間に位置する上框部材１９には、上側内レール９の室内外側両面に摺接する軟質の合成樹脂からなる上框用内側ヒレ３３が、上框部材１９の長手方向に沿って取付けられている。
【００２７】
つぎに、外サッシュ本体３の構成について説明するが、左右の勝手違いはあるものの、上述した内サッシュ本体２と同じ構成なので、詳細な説明は省略して簡単に説明する。
この外サッシュ本体３も、図６の（イ）に示すように、アルミ製の下框部材３８、上框部材３９、横框部材４０、合成樹脂製の下コーナブロック４１と上コーナブロック４２などで全体が矩形に組付けられ、下框部材３８の凹入部４３ｂ内には、下側外レール８上を転動する複数個の外ローラ４４が設けられている。
【００２８】
左側に位置する下コーナブロック４１には、図１２および図１３に示すように、シール部材としての第二外側ヒレ４６と第三外側ヒレ４７とが取付けられ、縦ヒレとしての第二外側ヒレ４６は、左側の横框部材４０に取付けられた横框用外側ヒレ４８（図１５参照）と連続するように取付けられて、外サッシュ本体３を左側にスライドさせた状態で、枠側シール部材として機能する横ヒレからなる第一外側ヒレ１７に摺接するように、第三外側ヒレ４７は、下側外レール８の室内外側の両側面と上面とに摺接するように構成され、かつ、下框部材３８には、下框用外側ヒレ４９が取付けられている。
【００２９】
右側に位置する下コーナブロック４１には、図９に示すように、シール部材としての第四外側ヒレ５０が取付けられて、外サッシュ本体３をスライドさせる際、その上部５０ｂが下側外レール８の室内外側の両側面と上面とに摺接し、室外側の中間部５０ｄが下側外レール８の両側面に摺接するとともに、外サッシュ本体３を左側にスライドさせた状態で、図１６および図１７に示すように、室内側の中間部５０ｃと下部５０ａとが、山形部材３１の右傾斜面３１ｂに案内され、その頂点を乗り越えて左側の横向きと上向き傾斜面３１ａに摺接するように構成されている。
また、上コーナブロック４２には、図７の（イ）に示すように、ブロック側シール部材としての第五外側ヒレ５２がスリット４５に沿って内側に突出するように取付けられ、かつ、右側の上コーナブロック４２には、図８に示すように、ブロック側シール部材としての第六外側ヒレ５４が取付けられ、上框部材３９には、上側外レール１０に摺接する上框用外側ヒレ５３が取付けられている。
【００３０】
以上の構成からなるサッシュ構造では、内サッシュ本体２を右側に、外サッシュ本体３を左側にスライドさせることにより、板ガラスＧを保持する両サッシュ本体２，３によってサッシュ枠１の内側空間を閉じた閉じ姿勢となる。
この閉じ姿勢においては、下側内レール７の排水用切欠き部１１に設けられた第一内側ヒレ１５が、内サッシュ本体２の下コーナブロックのうちの右側の下コーナブロック２１の室内側の面に対応して接当し、右側の下コーナブロック２１と下側内レール７との間の隙間から風が侵入するのを抑制し、同様に、下側外レール８の排水用切欠き部１２に設けられた第一外側ヒレ１７が、外サッシュ本体３の左側の下コーナブロック４１の室内側の面に対応して接当し、左側の下コーナブロック４１と下側外レール８との間の隙間から風が侵入するのを抑制する。
【００３１】
更に、その下側内レール７の第一内側ヒレ１５に対して、内サッシュ本体２の下コーナブロック２１に設けられた第二内側ヒレ２６が、第一内側ヒレ１５の室外側に接当して、下コーナブロック２１と右側の横枠体６との間の隙間から風が侵入するのを抑制し、かつ、第三内側ヒレ２７が、下コーナブロック２１の凹入部２３ａと下側内レール７との間の隙間から風が侵入するのを抑制する。
同様に、下側外レール８の第一外側ヒレ１７に対して、外サッシュ本体３の下コーナブロック４１に設けられた第二外側ヒレ４６が、第一外側ヒレ１７の室外側に接当して、下コーナブロック４１と左側の横枠体６との間の隙間から風が侵入するのを、第三外側ヒレ４７が、下コーナブロック４１の凹入部４３ａと下側外レール８との間の隙間から風が侵入するのをそれぞれ抑制する。
【００３２】
内サッシュ本体２の左側の下コーナブロック２１においては、その下コーナブロック２１に設けられた第四内側ヒレ３０の上部３０ｂが下側内レール７の室内外側の両側面と上面とに、室外側の中間部３０ｄが外サッシュ本体２に摺接し、かつ、その室内側の中間部３０ｃと下部３０ａとが山形部材３１の左傾斜面３１ａに摺接して、下コーナブロック２１の凹入部２３ａと下側内レール７との間の隙間からの風の侵入を抑制する。
同様に、外サッシュ本体３の右側の下コーナブロック４１においては、第四外側ヒレ５０の上部５０ｂが下側外レール８の室内外側の両側面と上面とに、室外側の中間部５０ｄが下側外レール８の両側面に摺接し、かつ、その室内側の中間部５０ｃと下部５０ａとが、前記第四内側ヒレ３０の室内側の中間部３０ｃおよび下部３０ａと直線状に連続する状態で、前記山形部材３１の左傾斜面３１ａに摺接するように構成されている。
【００３３】
内サッシュ本体２の上コーナブロック２２においては、左右の上コーナブロック２２に設けられた第五内側ヒレ３２が、上側内レール９の室内外側両面に接当して、かつ、左側の上コーナブロック２２に設けられた第六内側ヒレ３４が、上側内レール９の周囲に接当して、上コーナブロック２２のスリット２５と上側内レール９との間の隙間からの風の侵入を抑制し、外サッシュ本体３の左右の上コーナブロック４２においては、上コーナブロック４２に設けられた第五外側ヒレ５２が、上側外レール１０の室内外側両面に接当し、右側の上コーナブロック４２に設けられた第六外側ヒレ５４が、上側外レール１０の周囲に接当して、上コーナブロック４２のスリット４５と上側外レール１０との間の隙間からの風の侵入を抑制する。
【００３４】
そして、内サッシュ本体２の右側の横框部材２０に設けられた横框用内側ヒレ２８は、サッシュ枠１の右側の横枠体５との間を、外サッシュ本体３の左側の横框部材４０に設けられた横框用外側ヒレ４８は、サッシュ枠１の左側の横枠体５との間をそれぞれ封止する。
更に、内サッシュ本体２と外サッシュ本体３との下框部材１８，３８に設けられた下框用内側ヒレ２９と外側ヒレ４９とは、下側内レール７と外レール８との間を、また、内サッシュ本体２と外サッシュ本体３との上框部材１９，３９に設けられた上框用内側ヒレ３３と外側ヒレ５３とは、上側内レール９と外レール１０との間をそれぞれ封止する。
【００３５】
この閉じ姿勢において、下側内レール７よりも室内側へ侵入した雨水は、下側内レール７の左側に設けられた切欠き部から下側外レール８側へ排水され、下側外レール８の室内側へ侵入した雨水と一緒になって、下側外レール８に設けられた排水孔１３から外部へ排水される。
また、両レール７，８の室内側に溜まった雨水や塵埃などを排出して清掃する際には、内サッシュ本体２や外サッシュ本体３を開き姿勢にして、下側内レール７の排水用切欠き部１１や下側外レールの排水用切欠き部１２から雨水などを排出するのであり、その際、第一内側ヒレ１５や第一外側ヒレ１７が、室外側ほど下方に位置するように傾斜しているので、雨水や塵埃排出の障害になることがなく、清掃作業を容易に行うことができる。
【００３６】
〔別実施形態〕
（１）先の実施形態では、傾斜部材の一例として、左右に傾斜面３１ａ，３１ｂを備えた山形部材３１を示したが、図１８に示すように、ひとつの傾斜面３１ａのみを備えた傾斜部材３１Ａで構成し、図１８の（イ）に示す開き姿勢から、内サッシュ本体２や外サッシュ本体３をスライドさせて、図１８の（ロ）に示す閉じ姿勢にするのに伴って、傾斜部材３１Ａの傾斜面３１ａにシール部材としての複数枚のヒレ３０ａが摺接するように構成することもできる。
そして、先の実施形態では、サッシュ枠１の下枠体４に傾斜部材３１を設け、一対のサッシュ本体２，３の下コーナブロック２１，４１にシール部材としての第四ヒレ３０，５０を設けた例を示したが、この図１８に示す別の実施形態のように、一対のサッシュ本体２，３の上コーナブロック２２，４２に傾斜部材３１Ａを設け、サッシュ枠１の上枠体５にヒレ３０ａを設けることもできる。
【００３７】
（２）先の実施形態では、第一内側ヒレと外側ヒレ１５，１７、第二内側ヒレと外側ヒレ２６，４６、第三内側ヒレと外側ヒレ２７，４７、第四内側ヒレと外側ヒレ３０，５０、第五内側ヒレと外側ヒレ３２，５２などのシール部材を軟質の合成樹脂で形成した例を示したが、これらシール部材については、例えば、合成繊維などを植毛したモヘア状のものを使用することもでき、要するに、隙間風の侵入を抑制できるものであれば、その形状や材質などについては、種々の変更が可能である。
【図面の簡単な説明】
【図１】サッシュ構造の正面図
【図２】サッシュ構造の縦断面図
【図３】サッシュ枠の要部の斜視図
【図４】サッシュ枠の要部の斜視図
【図５】サッシュ枠の要部の斜視図
【図６】サッシュ本体の正面図
【図７】サッシュ本体の上面図
【図８】サッシュ構造の要部の縦断面図
【図９】サッシュ構造の要部の縦断面図
【図１０】サッシュ構造の要部の縦断面図
【図１１】サッシュ構造の要部の横断面図
【図１２】サッシュ構造の要部の縦断面図
【図１３】サッシュ構造の要部の横断面図
【図１４】サッシュ構造の要部の横断面図
【図１５】サッシュ構造の要部の横断面図
【図１６】山形部材の斜視図
【図１７】山形部材の一部切欠き正面図
【図１８】別の実施形態によるサッシュ構造の要部の概略図
【符号の説明】
１              サッシュ枠
２，３          サッシュ本体
４              サッシュ枠の下枠体
７，８          下側レール
９，１０        上側レール
２１，４１      下コーナブロック
２２，４２      上コーナブロック
２３ａ，４３ａ  レール溝
３０，５０      シール部材
３０ａ，５０ａ シール部材の下部
３０ｂ，５０ｂ  補助シール部材
３０ｃ，５０ｃ シール部材の中間部
３１，３１Ａ    傾斜部材
３１ａ，３１ｂ  傾斜面
【図１】
0003664638.tif 000002
【図２】
0003664638.tif 000003
【図３】
0003664638.tif 000004
【図４】
0003664638.tif 000005
【図５】
0003664638.tif 000006
【図６】
0003664638.tif 000007
【図７】
0003664638.tif 000008
【図８】
0003664638.tif 000009
【図９】
0003664638.tif 000010
【図１０】
0003664638.tif 000011
【図１１】
0003664638.tif 000012
【図１２】
0003664638.tif 000013
【図１３】
0003664638.tif 000014
【図１４】
0003664638.tif 000015
【図１５】
0003664638.tif 000016
【図１６】
0003664638.tif 000017
【図１７】
0003664638.tif 000018
【図１８】
0003664638.tif 000019